(57)【要約】【課題】安定した載置が可能で、かつシステムキッチンなどの引出しに収納して挿入及び取り出しができる樹脂袋収納箱を提供する。【解決手段】本発明に係る樹脂袋収納箱１は、有底枠状の本体３と、本体３の開口部５に着脱可能に設けられた蓋体７とを有し、蓋体７に、樹脂袋を挿入する挿入口９と、挿入口９から挿入された前記樹脂袋を取り出すための取り出し口１１とを設けたことをと特徴とするものである。【選択図】  図１
2016216076.tif 000002
【特許請求の範囲】
【請求項１】
有底枠状の本体と、該本体の開口部に着脱可能に設けられた蓋体とを有し、
該蓋体に、樹脂袋を挿入する挿入口と、該挿入口から挿入された前記樹脂袋を取り出すための取り出し口とを設けたことを特徴とする樹脂袋収納箱。
【請求項２】
前記挿入口よりも前記取り出し口の開口面積を大きくしたことを特徴とする請求項１記載の樹脂袋収納箱。
【請求項３】
前記挿入口の周縁に、底部に向けて延出すると共に前記取り出し口側に向けて傾斜する傾斜壁が設けられていることを特徴とする請求項１又は２に記載の樹脂袋収納箱。
【請求項４】
前記取り出し口は、その周囲に蓋体の上方に向けて延出する縁部が設けられていることを特徴とする請求項１乃至３のいずれか一項に記載の樹脂袋収納箱。
【請求項５】
前記蓋体には、該蓋体が前記本体の内部に収納された樹脂袋からの押し上げ力に対して抵抗できる係止部が設けられていることを特徴とする請求項１乃至４のいずれか一項に記載の樹脂袋収納箱。
【発明の詳細な説明】
【技術分野】
【０００１】
本発明は、例えばレジ袋のような樹脂袋を収納して、取り出すことのできる樹脂袋収納箱に関する。
【背景技術】
【０００２】
スーパーマーケットなどでの買い物の際に購入品を入れるレジ袋の収納箱が提案されている。
例えば、特許文献１には、矩形状の箱体の上面に細長形状の挿入口を設け、側面に縦方向に延びる取り出し口を設けたものが開示されている。
【０００３】
また、特許文献２には、上面に挿入孔を設け、底面に取り出し口を設けたものがある。
【先行技術文献】
【特許文献】
【０００４】
【特許文献１】特開平１０−１２９７５５号公報
【特許文献２】実用新案登録第３０２９６６７号公報
【発明の概要】
【発明が解決しようとする課題】
【０００５】
特許文献１のように、上面に挿入口を設け、側面に取り出し口を設けたものでは、縦長形状とならざるを得ず、載置した状態が不安定になる。
また、特許文献２のように、上面に挿入口を設け、底面に取り出し口を設けたものでは、置き方や置く場所の制約が大きい。
【０００６】
さらに、いずれのものでも、挿入口が設けられた面と、取り出し口が設けられた面が異なるため、例えばシステムキッチンなどの引き出しに収納した場合、レジ袋の挿入はできても引出し内でレジ袋の取り出しをすることはできない。
【０００７】
本発明はかかる課題を解決するためになされたものであり、安定した載置が可能で、かつシステムキッチンなどの引出し内に置いた状態でレジ袋（樹脂袋）の挿入及び取り出しができる樹脂袋収納箱を提供することを目的としている。
【課題を解決するための手段】
【０００８】
従来は、レジ袋の挿入し易さと取り出し易さを両立させるために、挿入口を上面に設け、取り出し口を上面ではなく、側面又は底面に設けるという考えであった。
しかしながら、このような構造では、上述したように不安定な形状となり、また引出しに仕舞った状態での挿入および取り出しを行うことができない。
【０００９】
挿入口と取り出し口を同一面、例えば上面に設けるのであれば、通常であれば挿入と取り出しを兼用する開口部を一つ設ければよいことになる。
この場合、レジ袋を収納する際には、前記開口部からレジ袋を押し込むことになるが、収納するレジ袋の枚数が増えると、前記開口部からレジ袋を箱体の隅の方に押し込むことになり、取り出し難くなるという問題がある。
【００１０】
そこで、発明者は、挿入口と取り出し口を同一面に設けながらも、挿入し易さ及び取り出し易さの両立ができる構造について検討したところ、同一面に二つの開口部を設けるという従来にはない発想に至った。
本発明はかかる発想に基づくものであり、具体的には以下の構成からなるものである。
【００１１】
（１）本発明に係る樹脂袋収納箱は、有底枠状の本体と、該本体の開口部に着脱可能に設けられた蓋体とを有し、該蓋体に、樹脂袋を挿入する挿入口と、該挿入口から挿入された前記樹脂袋を取り出すための取り出し口とを設けたことを特徴とするものである。
【００１２】
（２）また、上記（１）に記載のものにおいて、前記挿入口よりも前記取り出し口の開口面積を大きくしたことを特徴とするものである。
【００１３】
（３）また、上記（１）又は（２）に記載のものにおいて、前記挿入口の周縁に、底部に向けて延出すると共に前記取り出し口側に向けて傾斜する傾斜壁が設けられていることを特徴とするものである。
【００１４】
（４）また、上記（１）乃至（３）のいずれかに記載のものにおいて、前記取り出し口は、その周囲に蓋体の上方に向けて延出する縁部が設けられていることを特徴とするものである。
【００１５】
（５）また、上記（１）乃至（４）のいずれかに記載のものにおいて、前記蓋体には、該蓋体が前記本体の内部に収納された樹脂袋からの押し上げ力に対して抵抗できる係止部が設けられていることを特徴とするものである。
【図面の簡単な説明】
【００１６】
【図１】本発明の一実施の形態に係る樹脂袋収納箱の斜視図である。
【図２】本発明の一実施の形態に係る樹脂袋収納箱の蓋体を外した状態の説明図である。
【図３】本発明の一実施の形態に係る樹脂袋収納箱の蓋体の説明図であって、蓋体を裏面斜め方向から見た斜視図である。
【図４】本発明の一実施の形態に係る樹脂袋収納箱の使用方法の説明図である（その１）。
【図５】本発明の一実施の形態に係る樹脂袋収納箱の使用方法の説明図である（その２）。
【図６】本発明の一実施の形態に係る樹脂袋収納箱の使用方法の説明図である（その３）。
【図７】本発明の一実施の形態に係る樹脂袋収納箱の使用方法の説明図である（その４）。
【図８】本発明の一実施の形態に係る樹脂袋収納箱の使用方法の説明図である（その５）。
【発明を実施するための形態】
【００１７】
本実施の形態に係る樹脂袋収納箱１は、図１、図２に示すように、有底枠状の本体３と、本体３の開口部５に着脱可能に設けられた蓋体７とを有し、蓋体７に、樹脂袋を挿入する挿入口９と、挿入口９から挿入された前記樹脂袋を取り出すための取り出し口１１とを設けたものである。
以下、各構成を詳細に説明する。
【００１８】
＜本体＞
本体３は、図１、図２に示すように、矩形状の有底枠体からなる。本体３は、底部１３側に向かって縮径した形状となっており、複数の本体３同士を挿入してスタッキングできる構造になっている。
本体３の開口部５の周縁には、外側に突出する枠部１５が形成されている。
【００１９】
＜蓋体＞
蓋体７は、本体３の開口部５を覆うことができる矩形状をしており、本体３に着脱可能に装着される。蓋体７の長手方向の両端には、本体３の枠部１５に係止する係止部１７が設けられている。係止部１７は、底部１３側に向かって伸びる係止片１９を有し、係止片１９の下端に内側に突出する突出部２１が設けられている。係止部１７の突出部２１が枠部１５に係止することで、蓋体７が装着状態で本体３の内側からの内圧に対して抵抗できる構造になっている。
【００２０】
蓋体７には、樹脂袋を挿入する挿入口９と、挿入口９から挿入された前記樹脂袋を取り出すための取り出し口１１が設けられている。挿入口９は、蓋体７の長手方向の片側寄りに設けられ、取り出し口１１は、蓋体７の長手方向の挿入口９と反対側に設けられている。
【００２１】
挿入口９の周縁には、下方に延びる壁部２３が形成されている。壁部２３のうち、取り出し口１１から最も遠い側の壁部２３は、取り出し口１１側に向かって傾斜する傾斜壁２３ａとなっている。傾斜壁２３ａを設けることで、樹脂袋を挿入する際に、取り出し口１１側に向かって樹脂袋を押し込む動作を誘導することができる。
挿入口９の開口面積は、取り出し口１１の開口面積よりも小さく設定されている。
開口面積を小さくすることで、前記樹脂袋を丸めて押し込むという動作を誘導できる。
【００２２】
取り出し口１１は、その周囲に蓋体７の上方に向けて延出する縁部２５が設けられている。この縁部２５は、上方に向かうと共に反りかえるように湾曲した湾曲壁となっている。
湾曲壁を設けることで、本体３内に収納されている前記樹脂袋を取り出す際にスムーズな取り出しを実現している。
【００２３】
以上のように構成された本実施の形態の樹脂袋収納箱１の作用について、図４〜図８に基づき、樹脂袋としてレジ袋２７を収納する場合を例に挙げて説明する。
レジ袋７を収納しようとする使用者は、レジ袋７を丸め（図４参照）、蓋体７を装着した状態の樹脂袋収納箱１の挿入口９からレジ袋２７を押し込む（図５、図６参照）。図５、図６に示されるように、レジ袋２７を押し込む際には、挿入口９の傾斜壁２３ａに誘導されて、使用者は、取り出し口１１側に向けてレジ袋２７を押し込むことになる。
【００２４】
挿入されたレジ袋２７は本体３内に収納されるが、後から挿入されたレジ袋２７に押されて、先に収納されたレジ袋２７は本体３内で取り出し口１１側に移動する。丸めた状態で押し込まれたレジ袋２７は、本体３内で広がろうとして体積が大きくなるため、取り出し口１１から出ることはない（図６、図７参照）。このため、レジ袋２７を順次押し込むことができる。
【００２５】
レジ袋２７を取り出す際には、図８に示すように、取り出し口１１から見えるレジ袋２７の一部を摘んで引き上げることで、簡単に取り出すことができる。
【００２６】
以上のように、本実施の形態の樹脂袋収納箱１では、蓋体７に挿入口９と取り出し口１１を設けたことにより、レジ袋２７の挿入と取り出しの両方をスムーズに行うことができる。
また、蓋体７という一つの面に挿入口９と取り出し口１１を設けているので、例えばシステムキッチンなどの引き出し内に置いた状態で、レジ袋２７の挿入と取り出しを行うことができる。
【００２７】
なお、レジ袋２７の挿入時には、押し込む動作をするが、底部１３に向かって押し込むので、樹脂袋収納箱１は押込み力が強くても安定した載置状態を維持できる。換言すれば、強い力での押し込みが可能であり、多数枚のレジ袋２７を安定して押し込むことができる。
【００２８】
なお、本実施の形態の樹脂袋収納箱１は、システムキッチンの引き出し内に置いた状態で使用できるが、このような使用方法に限らず、テーブルの上に載置した状態や、壁に取り付けた状態で使用することもできる。
【符号の説明】
【００２９】
１  樹脂袋収納箱
３  本体
５  開口部
７  蓋体
９  挿入口
１１  取り出し口
１３  底部
１５  枠部
１７  係止部
１９  係止片
２１  突出部
２３  壁部
２３ａ  傾斜壁
２５  縁部
２７  レジ袋
【図１】
2016216076.tif 000003
【図２】
2016216076.tif 000004
【図３】
2016216076.tif 000005
【図４】
2016216076.tif 000006
【図５】
2016216076.tif 000007
【図６】
2016216076.tif 000008
【図７】
2016216076.tif 000009
【図８】
2016216076.tif 000010